(57)【要約】      （修正有）【課題】防振杆の取付角度が調整可能であり、しかも強い揺れや振れ（激震）に対しても充分な強度を有する防振配管支持具を提供する。【解決手段】天井スラブ等の取付面に一端が取付けられる防振杆の他端を取付けることで配管軸に直交する横方向への揺れを防止した吊下型の防振配管支持具において、配管支持具本体１０の配管抱持部１１の上半部に、タンバックルの如き取付部材１２に取付けられるバンド端部１３を基準に相対向する防振杆固定部１４が設けられており、この防振杆固定部１４は、配管抱持部１１の外面に沿うと共に外側に突出する突出囲込部１４Ａと、該突出囲込部に配管抱持部１１円周方向に長径を有する長孔状に穿設された透孔１４Ｂと、該透孔に回転自在且つ長径方向に沿って摺動可能に取付けられると共に前記防振杆の他端を螺合固定するナット部材１５と、を有する構成であることを特徴とする。【選択図】図１
0003148361.tif 000002
【実用新案登録請求の範囲】
【請求項１】
天井スラブ等の取付面に一端が取付けられる防振杆の他端を取付けることで配管軸に直交する横方向への揺れを防止した吊下型の防振配管支持具において、
配管支持具本体の配管抱持部の上半部に、タンバックルの如き取付部材に取付けられるバンド端部を基準に相対向する防振杆固定部が設けられており、
この防振杆固定部は、配管抱持部の外面に沿うと共に外側に突出する突出囲込部と、該突出囲込部に配管抱持部円周方向に長径を有する長孔状に穿設された透孔と、該透孔に回転自在且つ長径方向に沿って摺動可能に取付けられると共に前記防振杆の他端を螺合固定するナット部材と、を有する構成であることを特徴とする防振配管支持具。
【請求項２】
前記突出囲込部は、配管抱持部とは別部材を溶接することで設けられた構成であることを特徴とする請求項１に記載の防振配管支持具。
【請求項３】
前記突出囲込部は、配管抱持部の一部を折曲加工することで設けられた構成であることを特徴とする請求項１に記載の防振配管支持具。
【請求項４】
前記突出囲込部は、配管抱持部の一部を切り起こし成形することで設けられた構成であることを特徴とする請求項１に記載の防振配管支持具。
【請求項５】
前記突出囲込部は、配管抱持部の一部をプレス成形することで設けられた構成であることを特徴とする請求項１に記載の防振配管支持具。
【考案の詳細な説明】
【技術分野】
【０００１】
本考案は防振配管支持具に関し、詳しくは天井スラブ等の取付面に、水道管、ガス管、冷・暖房管等の各種配管を防振状態で吊下支持する防振配管支持具に関する。
【背景技術】
【０００２】
天井スラブ・壁面・床スラブ等の取付面に吊りボルト等の支持部材による吊下又は立て支持に加えて、前記取付け面から斜めに垂設又は張設した防振杆を付加すること等によって２点支持乃至は３点支持して防振（防震）構造とした技術としては、例えば、特許文献１に記載のものが知られている。
【０００３】
しかし、特許文献１に記載の技術では、配管支持具本体への防振杆の係合角度が一定角度（約４５度）であることから、吊下長さ又は立ち長さによって防振杆の取付面への固定位置が限定されてしまうという欠点を有している。従って、当該配管に沿って平行、或いは交差して配設される他の配管類等の位置によっては施工作業が煩雑となるだけでなく、効果的な防振支持を行うことができないという欠点を有している。
【０００４】
そこで本出願人は、配管支持具本体への防振杆の取付角度が調整可能な防振配管支持具を先に提案した（特許文献２）。
【０００５】
この先提案技術は、配管支持具本体の配管抱持部に該配管抱持部に対する掛止角度が調整可能な掛止部を掛止し、この掛止部に防振杆の一端が係合される透孔を設けた構成を有するものである。
【０００６】
【特許文献１】実開昭６１−１６６２８５号
【特許文献２】実用新案登録第２５２４３４０号
【考案の開示】
【考案が解決しようとする課題】
【０００７】
本考案者は、防振配管支持具について更に研究を続けた結果、先提案技術では防振杆の取付角度を調整できるものであったが、強い揺れや振れ（激震）に対しては強度不足となる可能性もあることが判った。
【０００８】
そこで本考案の課題は、防振杆の取付角度が調整可能であり、しかも強い揺れや振れ（激震）に対しても充分な強度を有する防振配管支持具を提供することにある。
【課題を解決するための手段】
【０００９】
上記課題を解決する本考案は下記構成を有する。
【００１０】
１．天井スラブ等の取付面に一端が取付けられる防振杆の他端を取付けることで配管軸に直交する横方向への揺れを防止した吊下型の防振配管支持具において、
配管支持具本体の配管抱持部の上半部に、タンバックルの如き取付部材に取付けられるバンド端部を基準に相対向する防振杆固定部が設けられており、
この防振杆固定部は、配管抱持部の外面に沿うと共に外側に突出する突出囲込部と、該突出囲込部に配管抱持部円周方向に長径を有する長孔状に穿設された透孔と、該透孔に回転自在且つ長径方向に沿って摺動可能に取付けられると共に前記防振杆の他端を螺合固定するナット部材と、を有する構成であることを特徴とする防振配管支持具。
【００１１】
２．前記突出囲込部は、配管抱持部とは別部材を溶接することで設けられた構成であることを特徴とする上記１に記載の防振配管支持具。
【００１２】
３．前記突出囲込部は、配管抱持部の一部を折曲加工することで設けられた構成であることを特徴とする上記１に記載の防振配管支持具。
【００１３】
４．前記突出囲込部は、配管抱持部の一部を切り起こし成形することで設けられた構成であることを特徴とする上記１に記載の防振配管支持具。
【００１４】
５．前記突出囲込部は、配管抱持部の一部をプレス成形することで設けられた構成であることを特徴とする上記１に記載の防振配管支持具。
【考案の効果】
【００１５】
請求項１に示す考案によれば、防振杆の取付角度が調整可能であり、しかも強い揺れや振れ（激震）に対しても充分な強度を有する防振配管支持具を提供することができる。
【００１６】
特に、配管抱持部の外側に突出する突出囲込部に回転自在に取付けられたナット部材に防振杆を螺合固定する構成のため、配管支持具本体と防振杆とを強固に連結することができる。従って、強い揺れや振れ（激震）に対しても充分な強度を得ることができる。
【００１７】
また、ナット部材が、配管抱持部円周方向に長径を有する長孔状に穿設された透孔に回転自在且つ長径方向に沿って摺動可能に取付けられた構成のため、防振杆の取付面に対する取付位置や配管支持具の吊下長さに応じて該防振杆の配管支持具への取付角度を最適角度に適宜調整することができる。
【００１８】
請求項２〜５に示す考案によれば、簡単な構造で高い強度を得ることができる。
【考案を実施するための最良の形態】
【００１９】
本考案に係る防振配管支持具の詳細について、添付の図面に基き説明する。
【００２０】
図１は本考案に係る防振配管支持具の一実施例を示す４面図（正面図、平面図、底面図、左側面図）、図２は図１の防振配管支持具の使用状態の一例を示す正面図、図３は防振杆固定部の突出囲込部の他の実施例を示す要部正面図、図４は防振杆固定部の突出囲込部の他の実施例を示す要部斜視図、図５は防振杆固定部の突出囲込部の他の実施例を示す要部斜視図である。
【００２１】
本考案に係る防振配管支持具１は、図１に示すような具体的構成を有し、使用に際しては図２に示すように、配管Ｐを抱持支持した状態で天井スラブ等の取付面２から吊りボルト等の吊下部材３で吊下支持されると共に、一端が前記取付面２に取付けられる防振杆４・４の他端を取付けることで配管軸に直交する横方向への揺れを防止した吊下型の防振配管支持具である。
【００２２】
防振配管支持具１の配管支持具本体１０の配管抱持部１１・１１の上半部には、タンバックルの如き取付部材１２に取付けられるバンド端部１３・１３を基準に相対向する防振杆固定部１４・１４が設けられている。尚、図１及び図２において、符号１５はナット部材、符号１６はボルト・ナットを示す。
【００２３】
防振杆固定部１４・１４は、前記配管抱持部１１・１１の各々の外面に沿うと共に外側に突出する突出囲込部１４Ａ・１４Ａと、該突出囲込部１４Ａ・１４Ａに配管抱持部１１円周方向に長径を有する長孔状に穿設された透孔１４Ｂ・１４Ｂと、該透孔１４Ｂ・１４Ｂに回転自在且つ長径方向に沿って摺動可能に取付けられると共に前記防振杆４・４の他端を螺合固定するナット部材１４Ｃ・１４Ｃと、を有する構成である。
【００２４】
突出囲込部１４Ａ・１４Ａは、配管抱持部１１・１１とは別部材（好ましくは同素材）を溶接することで設けられた構成であることが製造の容易さやコストの点、更には高強度が得られ易い等の点で好ましい。
【００２５】
配管支持具本体１０の配管抱持部１１の構成は、本実施例に示す蝶番式に限らず、この種の配管支持具として公知公用の構成を特別の制限無く採ることができ、例えば、組式や提灯式の構成であってもよく、また材質についても金属、合成樹脂等、この種の配管支持具として公知公用の材質を特別の制限無く挙げることができる。また、取付部材１２としては、本実施例のタンバックルに限らず、この種の吊下型の配管支持具の取付部材として公知公用のものを特別の制限無く用いることができる。
【００２６】
ナット部材１４Ｃは、回転自在且つ長径方向に沿って摺動可能な状態を維持したままで突出囲込部１４Ａに穿設された透孔１４Ｂから脱落しないように取付けられて入ればよく、このナット部材１４Ｃの脱落防止構成としては、この種の配管支持具においてナット部材を脱落防止状態で且つ回転自在・摺動可能に取付ける構成として公知公用の構成を特別の制限無く採ることができる。尚また、ナット部材１４Ｃの構成についても、本実施例のような透孔１３の径よりも大である鍔部を有する構成のものに限定されず、この種の配管支持具において回転自在に取付けられるナット部材の構成として公知公用の構成を特別の制限無く採ることができる。
【００２７】
以上、本考案に係る防振配管支持具の一実施例について説明したが、本考案は上記実施例に限定されず、本考案の範囲内において他の態様を採ることができる。
【００２８】
例えば、防振杆固定部１４の突出囲込部１４Ａは、上記実施例に示した配管抱持部１１とは別部材を溶接することで設けられた構成に限らず、例えば、図３に示すように配管抱持部１１の一部を折曲加工することで設けられた構成を採ることもできる。
【００２９】
また、突出囲込部１４Ａは、図４に示すように配管抱持部１１の上半部の一部を切り残し部１４Ｄ・１４Ｄを残した状態で切り起こし成形することで設けられた構成としたり、更に、図５に示すように配管抱持部１１の上半部の一部をプレス残し部１４Ｅ・１４Ｅを残した状態でプレス成形することで設けられた構成を採ることでもできる。
【００３０】
尚、これらの図３〜図５に示す構成の場合、ナット部材１４Ｃが突出囲込部１４Ａの透孔１４Ｂから脱落しないように、例えば、ナット部材１４Ｃの底部を配管抱持部１１の一部を切り起こし等によって形成した抑え突起等によって支持したり、或いは、この種の回転自在に取付けられるナット部材の脱落防止構成として公知公用の構成を採ることが好ましい。
【００３１】
更に、本考案に係る防振配管支持具は、吊下型の配管支持に限らず、床スラブや壁面等の取付面に立て支持する立て型の防振配管支持具とすることもできる。立て型とする場合、吊りボルト等の吊下部材及び該吊下部材に取付けられるタンバックルの如き取付部材に配管抱持部のバンド端部を取付ける構成に替えて、取付面に立設固定されたＴ足部材の如き取付部材に配管抱持部のバンド端部を取付けることで立て支持する構成となる。
【００３２】
尚、立て型構成の場合、Ｔ足部材の如き取付部材へのバンド端部の取付けは、この種の公知公用の立て型配管支持具の構成と同様に少なくとも２組のボルト・ナットによって行われる。
【００３３】
尚また、立て型構成の場合、吊下型とは支持構成の向きが変わる（例えば、壁面の場合は９０度、床スラブの場合は１８０度変わる）ため、防振杆固定部が設けられる位置である「配管抱持部の上半部」は「配管抱持部の取付面側の半部」と言い替えることとする。
【図面の簡単な説明】
【００３４】
【図１】本考案に係る防振配管支持具の一実施例を示す４面図（正面図、平面図、底面図、左側面図）
【図２】図１の防振配管支持具の使用状態の一例を示す正面図
【図３】防振杆固定部の突出囲込部の他の実施例を示す要部正面図
【図４】防振杆固定部の突出囲込部の他の実施例を示す要部斜視図
【図５】防振杆固定部の突出囲込部の他の実施例を示す要部斜視図
【符号の説明】
【００３５】
１  防振配管支持具
１０  配管支持具本体
１１  配管抱持部
１２  取付部材
１３  バンド端部
１４  防振杆固定部
１４Ａ  突出囲込部
１４Ｂ  透孔
１４Ｃ  ナット部材
１４Ｄ  切り残し部
１４Ｅ  プレス残し部
１５  ナット部材
１６  ボルト・ナット
２  取付面
３  吊下部材
４  防振杆
Ｐ  配管
【図１】
0003148361.tif 000003
【図２】
0003148361.tif 000004
【図３】
0003148361.tif 000005
【図４】
0003148361.tif 000006
【図５】
0003148361.tif 000007